【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
車載端末と携帯端末及び１以上のサーバとが相互に通信可能に接続される車載情報システムであって、
前記車載端末は、
前記サーバへ要求を送信する場合、前記要求で規定される一連のトランザクションを識別する第１のトランザクション識別子を生成し、前記生成した第１のトランザクション識別子を含む車載用ログを車載用ログバッファに保存することを条件に、前記第１のトランザクション識別子を含む前記要求を前記携帯端末に送信し、
前記携帯端末から転送された応答を受信した場合、前記受信した応答に付加された情報のうち保存対象の車載用ログを前記車載用ログバッファに保存することを条件に、前記受信した応答に付加された情報のうち表示対象の情報を出力し、
前記携帯端末は、
前記車載端末から前記要求を受信した場合、前記受信した要求に付加された前記第１のトランザクション識別子を含む携帯用ログを携帯用ログバッファに保存することを条件に、前記要求を前記サーバに送信し、
前記サーバから応答を受信した場合、前記受信した応答に付加された情報のうち保存対象の情報を含む携帯用ログを前記携帯用ログバッファに保存することを条件に、前記受信した応答を前記車載端末に転送し、
前記サーバのうちいずれかのサーバは、
前記携帯端末から前記要求を受信した場合、前記受信した要求に前記第１のトランザクション識別子が付加されていることを条件に、前記第１のトランザクション識別子を含むサーバ用ログをサーバ用ログバッファに保存し、前記受信した要求に前記第１のトランザクション識別子が付加されていないことを条件に、前記受信した要求で規定される一連のトランザクションを識別する第２のトランザクション識別子を生成し、前記受信した要求に従って処理を実行する過程で、第１の事象が発生したことを検知したことを条件に、前記事象の内容を表示するための第１のメッセージと前記第２のトランザクション識別子に関連した情報をコード化した第１のメッセージコードを生成し、前記生成した第２のトランザクション識別子と前記生成した第１のメッセージ及び第１のメッセージコードを含むサーバ用ログを前記サーバ用ログバッファに保存し、
前記携帯端末に応答を送信する場合、前記サーバ用ログバッファに前記第１のトランザクション識別子を含むサーバ用ログが存在することを条件に、前記第１のトランザクション識別子と前記第１のメッセージ及び前記第１のメッセージコードとを含む応答を前記携帯端末に転送し、前記サーバ用ログバッファに前記第１のトランザクション識別子を含むサーバ用ログが存在しないことを条件に、前記第１のメッセージと前記第１のメッセージコードを含む応答を前記携帯端末に転送することを特徴とする車載情報システム。
【請求項２】
請求項１に記載の車載情報システムであって、
前記サーバのうちいずれかのサーバは、
前記車載端末へ配信用データを配信する場合、前記配信の処理を識別する第３のトランザクション識別子を生成し、前記生成した第３のトランザクション識別子を含むサーバ用ログを前記サーバ用ログバッファに保存し、且つ、前記配信の処理を実行する過程で、第２の事象の発生を検知したことを条件に、前記事象の内容を表示するための第２のメッセージと前記第３のトランザクション識別子に関連した情報をコード化した第２のメッセージコードを生成し、前記生成した第３のトランザクション識別子と前記生成した第２のメッセージ及び第２のメッセージコードを含むサーバ用ログを前記サーバ用ログバッファに保存し、前記生成した第２のメッセージ及び第２のメッセージコードと前記配信用データとを含む情報を前記携帯端末に転送し、
前記携帯端末は、
前記サーバから前記第２のメッセージ及び前記第２のメッセージコードと前記配信用データとを含む情報を受信した場合、前記配信の処理を識別する第４のトランザクション識別子を生成し、前記生成した第４のトランザクション識別子と前記サーバから受信した前記第２のメッセージ及び前記第２のメッセージコードとを含む携帯用ログを前記携帯用ログバッファに保存すると共に、前記受信した情報を前記車載端末に送信し、
前記車載端末は、
前記携帯端末から前記第２のメッセージと前記第２のメッセージコードと前記配信用データ及び前記第４のトランザクション識別子を含む情報を受信した場合、前記受信した情報のうち前記第２のメッセージと前記第２のメッセージコード及び前記第４のトランザクション識別子を含む車載用ログを前記車載用ログバッファに保存すると共に、前記受信した情報のうち前記第２のメッセージ及び前記第２のメッセージコードを出力することを特徴とする車載情報システム。
【請求項３】
請求項１に記載の車載情報システムであって、
前記車載用ログと前記携帯用ログ及びサーバ用ログを検索対象として、前記検索対象の中に存在するログを管理するログ管理サーバを有し、
前記ログ管理サーバは、
前記検索対象の中に前記第１のメッセージコードが記録されたログが存在する場合、前記第１のトランザクション識別子で特定されるログを前記検索対象の中から抽出し、前記抽出されたログの時刻情報に従って前記抽出されたログのシーケンスを作成し、前記作成したシーケンスの画像を含むログ解析画面を表示することを特徴とする車載情報システム。
【請求項４】
請求項１に記載の車載情報システムであって、
前記車載用ログと前記携帯用ログ及びサーバ用ログを検索対象として、前記検索対象の中に存在するログを管理するログ管理サーバを有し、
前記ログ管理サーバは、
前記検索対象の中に前記第１のメッセージコードが記録されたログが存在する場合、前記第１のトランザクション識別子で特定されるログと前記第１のメッセージコードに関連付した前記第２のトランザクション識別子で特定されるログとを前記検索対象の中から抽出し、前記抽出されたログの時刻情報に従って前記抽出されたログのシーケンスを作成し、前記作成したシーケンスの画像を含むログ解析画面を表示することを特徴とする車載情報システム。
【請求項５】
請求項２に記載の車載情報システムであって、
前記車載用ログと前記携帯用ログ及びサーバ用ログを検索対象として、前記検索対象の中に存在するログを管理するログ管理サーバを有し、
前記ログ管理サーバは、
前記検索対象の中に前記第２のメッセージコードが記録されたログが存在する場合、前記第２のメッセージコードに関連した前記第３のトランザクション識別子で特定されるログ及び前記第４のトランザクション識別子で特定されるログを前記検索対象の中から抽出し、前記抽出されたログの時刻情報に従って前記抽出されたログのシーケンスを作成し、前記作成したシーケンスの画像を含むログ解析画面を表示することを特徴とする車載情報システム。
【請求項６】
車載端末と携帯端末及び１以上のサーバとが相互に通信可能に接続される車載情報システムの情報処理方法であって、
前記車載端末が、前記サーバへ要求を送信する場合、前記要求で規定される一連のトランザクションを識別する第１のトランザクション識別子を生成し、前記生成した第１のトランザクション識別子を含む車載用ログを車載用ログバッファに保存することを条件に、前記第１のトランザクション識別子を含む前記要求を前記携帯端末に送信するステップと、
前記携帯端末が、前記車載端末から前記要求を受信した場合、前記受信した要求に付加された前記第１のトランザクション識別子を含む携帯用ログを携帯用ログバッファに保存することを条件に、前記要求を前記サーバに送信するステップと、
前記サーバのうちいずれかのサーバが、前記携帯端末から前記要求を受信した場合、前記受信した要求に前記第１のトランザクション識別子が付加されていることを条件に、前記第１のトランザクション識別子を含むサーバ用ログをサーバ用ログバッファに保存し、前記受信した要求に前記第１のトランザクション識別子が付加されていないことを条件に、前記受信した要求で規定される一連のトランザクションを識別する第２のトランザクション識別子を生成し、前記受信した要求に従って処理を実行する過程で、第１の事象が発生したことを検知したことを条件に、前記事象の内容を表示するための第１のメッセージと前記第２のトランザクション識別子に関連した情報をコード化した第１のメッセージコードを生成し、前記生成した第２のトランザクション識別子と前記生成した第１のメッセージ及び第１のメッセージコードを含むサーバ用ログを前記サーバ用ログバッファに保存するステップと、
前記サーバのうちいずれかのサーバが、前記携帯端末に応答を送信する場合、前記サーバ用ログバッファに前記第１のトランザクション識別子を含むサーバ用ログが存在することを条件に、前記第１のトランザクション識別子と前記第１のメッセージ及び前記第１のメッセージコードとを含む応答を前記携帯端末に転送し、前記サーバ用ログバッファに前記第１のトランザクション識別子を含むサーバ用ログが存在しないことを条件に、前記第１のメッセージと前記第１のメッセージコードを含む応答を前記携帯端末に転送するステップと、
前記携帯端末が、前記サーバから前記いずれかの応答を受信した場合、前記受信した応答に付加された情報のうち保存対象の情報を含む携帯用ログを前記携帯用ログバッファに保存することを条件に、前記受信した応答を前記車載端末に転送するステップと、
前記車載端末が、前記携帯端末から転送された応答を受信した場合、前記受信した応答に付加された情報のうち保存対象の車載用ログを前記車載用ログバッファに保存することを条件に、前記受信した応答に付加された情報のうち表示対象の情報を出力するステップと、を有することを特徴とする車載情報システムの情報処理方法。
【請求項７】
請求項６に記載の車載情報システムの情報処理方法であって、
前記サーバのうちいずれかのサーバが、前記車載端末へ配信用データを配信する場合、前記配信の処理を識別する第３のトランザクション識別子を生成し、前記生成した第３のトランザクション識別子を含むサーバ用ログを前記サーバ用ログバッファに保存し、且つ、前記配信の処理を実行する過程で、第２の事象の発生を検知したことを条件に、前記事象の内容を表示するための第２のメッセージと前記第３のトランザクション識別子に関連した情報をコード化した第２のメッセージコードを生成し、前記生成した第３のトランザクション識別子と前記生成した第２のメッセージ及び第２のメッセージコードを含むサーバ用ログを前記サーバ用ログバッファに保存し、前記生成した第２のメッセージ及び第２のメッセージコードと前記配信用データとを含む情報を前記携帯端末に転送するステップと、
前記携帯端末が、前記サーバから前記第２のメッセージ及び前記第２のメッセージコードと前記配信用データとを含む情報を受信した場合、前記配信の処理を識別する第４のトランザクション識別子を生成し、前記生成した第４のトランザクション識別子と前記サーバから受信した前記第２のメッセージ及び前記第２のメッセージコードとを含む携帯用ログを前記携帯用ログバッファに保存すると共に、前記受信した情報を前記車載端末に送信するステップと、
前記車載端末が、前記携帯端末から前記第２のメッセージと前記第２のメッセージコードと前記配信用データ及び前記第４のトランザクション識別子を含む情報を受信した場合、前記受信した情報のうち前記第２のメッセージと前記第２のメッセージコード及び前記第４のトランザクション識別子を含む車載用ログを前記車載用ログバッファに保存すると共に、前記受信した情報のうち前記第２のメッセージ及び前記第２のメッセージコードを出力するステップと、を有することを特徴とする車載情報システムの情報処理方法。
【請求項８】
請求項６に記載の車載情報システムの情報処理方法であって、
前記車載用ログと前記携帯用ログ及びサーバ用ログを検索対象として、前記検索対象の中に存在するログを管理するログ管理サーバを有し、
前記ログ管理サーバが、前記検索対象の中に前記第１のメッセージコードが記録されたログが存在する場合、前記第１のトランザクション識別子で特定されるログを前記検索対象の中から抽出し、前記抽出されたログの時刻情報に従って前記抽出されたログのシーケンスを作成し、前記作成したシーケンスの画像を含むログ解析画面を表示するステップを有することを特徴とする車載情報システムの情報処理方法。
【請求項９】
請求項６に記載の車載情報システムの情報処理方法であって、
前記車載用ログと前記携帯用ログ及びサーバ用ログを検索対象として、前記検索対象の中に存在するログを管理するログ管理サーバを有し、
前記ログ管理サーバが、前記検索対象の中に前記第１のメッセージコードが記録されたログが存在する場合、前記第１のトランザクション識別子で特定されるログと前記第１のメッセージコードに関連付した前記第２のトランザクション識別子で特定されるログとを前記検索対象の中から抽出し、前記抽出されたログの時刻情報に従って前記抽出されたログのシーケンスを作成し、前記作成したシーケンスの画像を含むログ解析画面を表示するステップを有することを特徴とする車載情報システムの情報処理方法。
【請求項１０】
請求項７に記載の車載情報システムの情報処理方法であって、
前記車載用ログと前記携帯用ログ及びサーバ用ログを検索対象として、前記検索対象の中に存在するログを管理するログ管理サーバを有し、
前記ログ管理サーバが、前記検索対象の中に前記第２のメッセージコードが記録されたログが存在する場合、前記第２のメッセージコードに関連した前記第３のトランザクション識別子で特定されるログ及び前記第４のトランザクション識別子で特定されるログを前記検索対象の中から抽出し、前記抽出されたログの時刻情報に従って前記抽出されたログのシーケンスを作成し、前記作成したシーケンスの画像を含むログ解析画面を表示するステップを有することを特徴とする車載情報システムの情報処理方法。